(57)【要約】【課題】車載カメラ等の使用中において温度環境が繰り返し変化する場合に、従来よりも確実に光学性能を維持することができるレンズユニットを提供する。【解決手段】レンズユニット１０は、全系の光軸Ｚ１に対して所定方向に偏心した場合に結像位置が所定方向に変位する正の偏心感度を有する正変位レンズ（第５レンズＬ５）と、全系の光軸Ｚ１に対して所定方向に偏心した場合に結像位置が所定方向とは逆向きに変位する負の偏心感度を有する負変位レンズ（第４レンズＬ４）と、を含む複数のレンズＬ１〜Ｌ６と、樹脂製であり、かつ、複数のレンズのなかで隣接する正変位レンズと負変位レンズを保持し、正変位レンズと負変位レンズの全系の光軸Ｚ１に対する偏心の方向及び量を固定する樹脂環１６と、を備える。【選択図】図１
2019020505.tif 000002
【特許請求の範囲】
【請求項１】
全系の光軸に対して所定方向に偏心した場合に結像位置が前記所定方向に変位する正の偏心感度を有する正変位レンズと、前記全系の光軸に対して前記所定方向に偏心した場合に前記結像位置が前記所定方向とは逆向きに変位する負の偏心感度を有する負変位レンズと、を含む複数のレンズと、
樹脂製であり、かつ、前記複数のレンズのなかで隣接する前記正変位レンズと前記負変位レンズを保持し、前記正変位レンズと前記負変位レンズの前記全系の光軸に対する偏心の方向及び量を固定する樹脂環と、
を備えるレンズユニット。
【請求項２】
前記樹脂環のレンズ保持部の内径は、保持する前記正変位レンズ及び前記負変位レンズの外径よりも小さい請求項１に記載のレンズユニット。
【請求項３】
前記樹脂環は、内周側に突出する突出部を複数有する請求項１または２に記載のレンズユニット。
【請求項４】
前記樹脂環は、前記樹脂環が保持する前記正変位レンズまたは前記負変位レンズと、前記樹脂環が保持する前記正変位レンズまたは前記負変位レンズに隣接する他のレンズとの前記全系の光軸の方向に沿った間隔を保つスペーサである請求項１〜３のいずれか１項に記載のレンズユニット。
【請求項５】
前記樹脂環は、１枚の前記正変位レンズと１枚の前記負変位レンズとを保持する請求項１〜４のいずれか１項に記載のレンズユニット。
【請求項６】
前記樹脂環が保持する前記正変位レンズは前記複数のレンズのなかで前記偏心感度が最大であり、かつ、前記樹脂環が保持する前記負変位レンズは前記複数のレンズの中で前記偏心感度が最小である請求項１〜５のいずれか１項に記載のレンズユニット。
【請求項７】
前記樹脂環が保持する前記正変位レンズと前記負変位レンズは、前記複数のレンズのなかで最も直径が近いレンズの組み合わせである請求項１〜６のいずれか１項に記載のレンズユニット。
【請求項８】
前記樹脂環が保持する前記正変位レンズと前記負変位レンズは、前記複数のレンズのなかで最も径が小さいレンズと２番目に径が小さいレンズの組み合わせ、または、前記複数のレンズのなかで最も径が小さい２つのレンズの組み合わせである請求項１〜７のいずれか１項に記載のレンズユニット。
【請求項９】
前記複数のレンズのうち一のレンズを前記所定方向に所定量だけ偏心し、かつ、他のレンズを所定位置に配置する際に、前記一のレンズの偏心に起因した結像位置の変位量を比較する場合に、
前記樹脂環が保持する前記正変位レンズと前記負変位レンズは、前記複数のレンズのなかで、最も前記変位量の絶対値が大きいレンズと、２番目に前記変位量の絶対値が大きいレンズの組み合わせである請求項１〜８のいずれか１項に記載のレンズユニット。
【請求項１０】
前記複数のレンズとして、物体側から順に、負のパワーを有する第１レンズと、正のパワーを有する第２レンズと、正のパワーを有する第３レンズと、負のパワーを有する第４レンズと、正のパワーを有する第５レンズと、正のパワーを有する第６レンズと、を備え、
前記樹脂環は、前記第４レンズと前記第５レンズを保持する請求項１〜９のいずれか１項に記載のレンズユニット。
【発明の詳細な説明】
【技術分野】
【０００１】
本発明は、複数のレンズを組み合わせたレンズユニットに関する。
【背景技術】
【０００２】
近年、監視カメラや車載カメラ等（以下、車載カメラ等という）が普及している。車載カメラ等は温度変化が大きい等の過酷な環境で使用する。このため、車載カメラ等に使用するレンズには、環境または環境の変化に対する耐久性が良いこと、温度変化等があっても光学的な性能を維持することが求められる。車載カメラ等に使用するレンズは、例えば、レンズ枠に圧入したガラスレンズを鏡胴に収めたレンズユニットとして提供する（特許文献１）。
【先行技術文献】
【特許文献】
【０００３】
【特許文献１】特開２０１４−１７０１２３号公報
【発明の概要】
【発明が解決しようとする課題】
【０００４】
車載カメラ等のレンズユニットは、レンズユニットに含む複数のレンズの間隔等、相対的な位置関係を固定しておく場合がある。このように、レンズの相対的な位置関係を固定しておけば、環境の温度に依らずにほぼ一定の光学性能を維持することができるからである。
【０００５】
しかし、上記のようにレンズユニットの製造当初においてレンズの間隔等を固定していても、車載カメラ等の使用中において環境温度が繰り返し変化するうちに、レンズの相対的な位置関係等が変化してしまう場合がある。その結果、長期的にみると、光学性能が変化してしまう場合がある。
【０００６】
本発明は、車載カメラ等の使用中において温度環境が繰り返し変化する場合でも、光学性能の変化を抑え、従来よりも確実に光学性能を維持し得るレンズユニットを提供することを目的とする。
【課題を解決するための手段】
【０００７】
本発明のレンズユニットは、全系の光軸に対して所定方向に偏心した場合に結像位置が所定方向に変位する正の偏心感度を有する正変位レンズと、全系の光軸に対して所定方向に偏心した場合に結像位置が所定方向とは逆向きに変位する負の偏心感度を有する負変位レンズと、を含む複数のレンズと、樹脂製であり、かつ、複数のレンズのなかで隣接する正変位レンズと負変位レンズを保持し、正変位レンズと負変位レンズの全系の光軸に対する偏心の方向及び量を固定する樹脂環と、を備える。
【０００８】
樹脂環のレンズ保持部の内径は、保持する正変位レンズ及び負変位レンズの外径よりも小さいことが好ましい。
【０００９】
樹脂環は、内周側に突出する突出部を複数有することが好ましい。
【００１０】
樹脂環は、樹脂環が保持する正変位レンズまたは負変位レンズと、樹脂環が保持する正変位レンズまたは負変位レンズに隣接する他のレンズとの全系の光軸の方向に沿った間隔を保つスペーサであることが好ましい。
【００１１】
樹脂環は、１枚の正変位レンズと１枚の負変位レンズとを保持することが好ましい。
【００１２】
樹脂環が保持する正変位レンズは複数のレンズのなかで偏心感度が最大であり、かつ、樹脂環が保持する負変位レンズは複数のレンズの中で偏心感度が最小であることが好ましい。
【００１３】
樹脂環が保持する正変位レンズと負変位レンズは、複数のレンズのなかで最も直径が近いレンズの組み合わせであることが好ましい。
【００１４】
樹脂環が保持する正変位レンズと負変位レンズは、複数のレンズのなかで最も径が小さいレンズと２番目に径が小さいレンズの組み合わせ、または、複数のレンズのなかで最も径が小さい２つのレンズの組み合わせであることが好ましい。
【００１５】
複数のレンズのうち一のレンズを所定方向に所定量だけ偏心し、かつ、他のレンズを所定位置に配置する際に、一のレンズの偏心に起因した結像位置の変位量を比較する場合に、樹脂環が保持する正変位レンズと負変位レンズは、複数のレンズのなかで、最も変位量の絶対値が大きいレンズと、２番目に変位量の絶対値が大きいレンズの組み合わせであることが好ましい。
【００１６】
複数のレンズとして、物体側から順に、負のパワーを有する第１レンズと、正のパワーを有する第２レンズと、正のパワーを有する第３レンズと、負のパワーを有する第４レンズと、正のパワーを有する第５レンズと、正のパワーを有する第６レンズと、を備え、樹脂環は、第４レンズと第５レンズを保持することが好ましい。
【発明の効果】
【００１７】
本発明のレンズユニットは、車載カメラ等の使用中において温度環境が繰り返し変化する場合に、従来よりも確実に光学性能を維持することができる。
【図面の簡単な説明】
【００１８】
【図１】レンズユニットの断面図である。
【図２】第４レンズ、第５レンズ、及び、樹脂環の断面図である。
【図３】樹脂環の正面図である。
【図４】第４レンズの位置が変化した場合における光軸の変化を示す説明図である。
【図５】第４レンズの位置が変化した場合における光軸の変化を示す説明図である。
【図６】第５レンズの位置が変化した場合における光軸の変化を示す説明図である。
【図７】第５レンズの位置が変化した場合における光軸の変化を示す説明図である。
【図８】熱衝撃の回数と光軸の変化量の関係を示すグラフである。
【図９】５００回の熱衝撃を与えた後の光軸の変化量の分布を示すグラフである。
【発明を実施するための形態】
【００１９】
図１に示すように、レンズユニット１０は、金属（例えばアルミニウム（Ａｌ））製の鏡胴１１と、鏡胴１１に収めた複数のレンズと、を備える。レンズユニット１０が含む複数のレンズは、例えば、物体側から順に、負のパワーを有する第１レンズＬ１と、正のパワーを有する第２レンズＬ２と、正のパワーを有する第３レンズＬ３と、負のパワーを有する第４レンズＬ４と、正のパワーを有する第５レンズＬ５と、正のパワーを有する第６レンズＬ６と、の６枚構成である。これら複数のレンズは、レンズユニット１０の像面側に接続するイメージセンサ（図示しない）の撮像面に、被写体像を結像する。また、これらレンズＬ１〜Ｌ６は、全てガラス製である。
【００２０】
レンズユニット１０は、上記第１レンズＬ１、第２レンズＬ２、第３レンズＬ３、第４レンズＬ４、第５レンズＬ５、及び第６レンズＬ６の６枚構成のレンズ以外にも、任意の枚数、かつ、任意のパワー構成からなる複数のレンズを搭載することができる。本実施形態においては、レンズユニット１０は、上記第１レンズＬ１、第２レンズＬ２、第３レンズＬ３、第４レンズＬ４、第５レンズＬ５、及び、第６レンズＬ６の６枚のレンズからなるものとする。レンズユニット１０の光軸Ｚ１すなわち全系の光軸Ｚ１は、少なくともレンズユニット１０を組み立てた段階において、鏡胴１１の中心軸とほぼ一致する。
【００２１】
レンズユニット１０は、上記レンズＬ１〜Ｌ６の他、赤外線カットフィルタ１２、押え環１３、スペーサ１４、スペーサ１５、樹脂環１６、押え環１７、及び、押え環１８を備える。赤外線カットフィルタ１２は、上記複数のレンズが、被写体像を結像する際に、赤外線成分を除去または低減する。押え環１３は、金属（例えばアルミニウム（Ａｌ））であり、鏡胴１１に対して第１レンズＬ１の前面（物体側の面）を押える環状の押さえ部材である。押え環１３を用いて第１レンズＬ１の前面を押えることにより、レンズユニット１０はレンズＬ１〜Ｌ６を鏡胴１１に収納する。
【００２２】
スペーサ１４は金属（例えばアルミニウム（Ａｌ））であり、第２レンズＬ２と第３レンズＬ３との間に配置する。スペーサ１４は、鏡胴１１内において、第２レンズＬ２と第３レンズＬ３の間隔を保つ。また、スペーサ１５は金属（例えばアルミニウム（Ａｌ））であり、鏡胴１１内において第３レンズＬ３と第４レンズＬ４の間に配置する。スペーサ１５は、第３レンズＬ３と第４レンズＬ４の間隔を保つ。
【００２３】
樹脂環１６は樹脂製であり、隣接する第４レンズＬ４と第５レンズＬ５を保持するレンズ枠である。また、図２に示すように、樹脂環１６のレンズ保持部２１において、第４レンズＬ４及び第５レンズＬ５の側面と当接してこれらを保持する。また、レンズ保持部２１の内径は、保持する第４レンズＬ４及び第５レンズＬ５の外径よりも小さい。すなわち、樹脂環１６は、圧入した第４レンズＬ４及び第５レンズＬ５を保持するレンズ枠である。
【００２４】
より具体的には、図３に示すように、樹脂環１６は、内周側に突出する突出部２２を複数有する。そして、突出部２２において測る樹脂環１６の直径Ｄａは、第４レンズＬ４の直径Ｄ４よりも小さい（Ｄａ＜Ｄ４）。第４レンズＬ４の直径Ｄ４とは、光学面の径ではなく、フランジを有する場合にはフランジを含む直径である。同様に、突出部２２において測る樹脂環１６の直径Ｄａは、第５レンズＬ５の直径Ｄ５よりも小さい（Ｄａ＜Ｄ５）。第５レンズＬ５の直径Ｄ５とは、フランジを有する場合にはフランジを含む直径である。
【００２５】
樹脂環１６は、樹脂環１６が保持するレンズと、樹脂環１６が保持するレンズに隣接する他のレンズとの全系の光軸Ｚ１の方向に沿った間隔を保つスペーサとしても機能する。例えば、樹脂環１６は、第６レンズＬ６側に突出しており、その先端付近において鏡胴１１内にある位置決め用の凸部１１ａと当接して鏡胴１１に対する位置が定まる。一方、第６レンズＬ６は、樹脂環１６とは反対側から鏡胴１１に挿入され、樹脂環１６の位置決めをする位置決め用の凸部１１ａと当接して鏡胴１１に対する位置が定まる。この結果、樹脂環１６は、第５レンズＬ５と第６レンズＬ６の相対的な位置を定めるスペーサとして機能する。この他、樹脂環１６の長さまたは形状等を変更することにより、樹脂環１６を、第３レンズＬ３と第４レンズＬ４の相対的位置を定めるスペーサとすることもできる。
【００２６】
押え環１７は金属（例えばアルミニウム（Ａｌ））であり、鏡胴１１に対して第６レンズＬ６の後面（像側の面）を押える環状の押さえ部材である。押え環１７を用いて第６レンズＬ６の後面を押えることにより、レンズユニット１０はレンズＬ１〜Ｌ６を鏡胴１１に収納する。また、押え環１７は、赤外線カットフィルタ１２を第６レンズＬ６から一定の位置に係止する。押え環１８は金属製（例えばＳＵＳ製）であり、例えば押え環１７にネジで固定することにより、押え環１７及び鏡胴１１に対して赤外線カットフィルタ１２を押える環状の押さえ部材である。押え環１８は、押え環１７とともに赤外線カットフィルタ１２を保持する。
【００２７】
上記のように、レンズユニット１０は、レンズＬ１〜Ｌ６を鏡胴１１内に固定する。そして、レンズユニット１０においては、レンズＬ１〜Ｌ６は、樹脂に比べて温度変化による膨張または収縮が小さいガラスレンズである。また、レンズユニット１０においては、樹脂環１６を除き、鏡胴１１、押え環１３、スペーサ１４、スペーサ１５、押え環１７、及び、押え環１８が全て金属製である。したがって、温度変化に起因した光学性能の変化を抑えている。
【００２８】
樹脂環１６を用いて第４レンズＬ４及び第５レンズＬ５の相対的な位置を固定しているのは以下の理由による。
【００２９】
まず、図４に示すように、レンズＬ１〜Ｌ６のうち、第１レンズＬ１、第２レンズＬ２、第３レンズＬ３、第５レンズＬ５、及び、第６レンズＬ６は固定し、かつ、第４レンズＬ４が全系の光軸Ｚ１に対して所定方向（図４においてはＹ方向正側）に偏心した場合、全系の光軸Ｚ１はＹ方向負側に傾く。その結果、結像位置は、Ｙ方向負側に変位する。また、図５に示すように、第１レンズＬ１、第２レンズＬ２、第３レンズＬ３、第５レンズＬ５、及び、第６レンズＬ６は固定し、かつ、第４レンズＬ４が全系の光軸Ｚ１に対してＹ方向負側に偏心した場合、全系の光軸Ｚ１はＹ方向正側に傾く。その結果、結像位置は、Ｙ方向正側に変位する。すなわち、レンズＬ１〜Ｌ６で構成するレンズユニット１０においては、第４レンズＬ４は、全系の光軸Ｚ１に対して所定方向に偏心した場合に結像位置がその所定方向（第４レンズＬ４が偏心した方向）とは逆向きに変位する「負の偏心感度」を有するレンズ（以下、「負変位レンズ」という）である。
【００３０】
次に、図６に示すように、レンズＬ１〜Ｌ６のうち、第１レンズＬ１、第２レンズＬ２、第３レンズＬ３、第４レンズＬ４、及び、第５レンズＬ５は固定し、かつ、第５レンズＬ５が全系の光軸Ｚ１に対して所定方向（図６においてはＹ方向正側）に偏心した場合、全系の光軸Ｚ１はＹ方向正側に傾く。その結果、結像位置はＹ方向正側に変位する。また、図７に示すように、レンズＬ１〜Ｌ６のうち、第１レンズＬ１、第２レンズＬ２、第３レンズＬ３、第４レンズＬ４、及び、第５レンズＬ５は固定し、かつ、第５レンズＬ５が全系の光軸Ｚ１に対してＹ方向負側に偏心した場合、全系の光軸Ｚ１はＹ方向負側に傾く。その結果、結像位置はＹ方向負側に変位する。すなわち、レンズＬ１〜Ｌ６で構成するレンズユニット１０においては、第５レンズＬ５は、全系の光軸Ｚ１に対して所定方向に偏心した場合に結像位置がその所定方向（第５レンズＬ５が偏心下方向）に変位する「正の偏心感度」を有するレンズ（以下、「正変位レンズ」という）である。
【００３１】
これらのことから、負変位レンズである第４レンズＬ４と、正変位レンズである第５レンズＬ５と、が同じ方向（例えば、Ｙ方向正側またはＹ方向負側）に同量だけ偏心すれば、第４レンズＬ４及び第５レンズＬ５の偏心に起因した全系の光軸Ｚ１の傾きは、少なくとも一部を相殺することができる。その結果、使用中の温度変化や振動に伴った外的な力が加わり、第４レンズＬ４及び第５レンズＬ５が偏心した場合でも、レンズユニット１０の光学性能を維持することができる。したがって、レンズユニット１０においては、樹脂環１６が、負変位レンズである第４レンズＬ４と、正変位レンズである第５レンズＬ５と、を保持し、負変位レンズである第４レンズＬ４と正変位レンズである第５レンズＬ５の全系の光軸Ｚ１に対する偏心の方向及び量を固定しているのである。
【００３２】
なお、一般的に言えば、樹脂は金属に比べて温度変化による膨張または収縮が大きいので、樹脂製のレンズ枠である樹脂環１６を用いることは、温度変化に起因したレンズユニット１０の光学性能の変化を抑制するには有利とはいえない。しかし、樹脂環１６の代わりに、金属製のレンズ枠を用いて負変位レンズである第４レンズＬ４と正変位レンズである第５レンズＬ５を固定すると、樹脂環１６を用いる場合よりも必然的にクリアランス（レンズ枠にレンズを挿入するためのクリアランス）を大きく取らなければならない。このため、金属製のレンズ枠を用いると、樹脂環１６を用いる場合よりも、負変位レンズである第４レンズＬ４と正変位レンズである第５レンズＬ５の全系の光軸Ｚ１に対する偏心の方向及び量に違いが生じやすくなる。そして、温度変化に対するレンズユニット１０の光学性能を維持する効果が低減する。したがって、レンズユニット１０においては、敢えて樹脂環１６を用いて、負変位レンズである第４レンズＬ４と、正変位レンズである第５レンズＬ５と、を保持し、負変位レンズである第４レンズＬ４と正変位レンズである第５レンズＬ５の全系の光軸Ｚ１に対する偏心の方向及び量を固定しているのである。負変位レンズである第４レンズＬ４と正変位レンズである第５レンズＬ５の固定に樹脂環１６を用いると、金属製のレンズ枠を用いる場合よりも低コスト化できる利点もある。
【００３３】
上記レンズユニット１０で示す通り、レンズユニットが、正変位レンズと負変位レンズとを含む複数のレンズを含む場合、樹脂環を用いて、複数のレンズのなかで隣接する正変位レンズと負変位レンズを保持し、正変位レンズと負変位レンズの全系の光軸に対する偏心の方向及び量を固定すれば、温度変化に対して光学性能を維持しやすい。特に、車載カメラ等に使用するレンズユニットに好適である。すなわち、車載カメラ等に使用するレンズユニットの場合、使用環境の温度変化が大きいので、レンズユニット１０のようにレンズＬ１〜Ｌ６の相対的な位置をほぼ固定した状態にしたとしても、使用中の大きな温度変化が加わった場合には、レンズＬ１〜Ｌ６の位置関係が変化するのはほぼ避けられない。しかし、上記レンズユニット１０のように、樹脂環を用いて、複数のレンズのなかで隣接する正変位レンズと負変位レンズを保持し、正変位レンズと負変位レンズの全系の光軸に対する偏心の方向及び量を固定すれば、車載カメラ等に使用するレンズユニットにおいても光学性能を良好に維持し得る。
【００３４】
比較のため、本発明のレンズユニット１０と、樹脂環１６を使用しない比較例のレンズユニットと、をそれぞれ製造し、車載レンズユニットが受ける大きな温度環境変化を想定した、熱衝撃テストを実施し、製造誤差に起因した光軸Ｚ１の位置ずれを測定した。熱衝撃テストにおいては、本発明のレンズユニット１０及び比較例のレンズユニットを、−４０℃の環境に３０分間さらす工程と、１０５℃の環境に３０分間さらす工程と、を１組（ヒートサイクル）として、この１組の工程を１回の熱衝撃とした。また、加速度テストとして位置付けるべく、１００回以上の熱衝撃をさらに加え、製造誤差を除いた後の光軸Ｚ１を基準として、熱衝撃を加えるごとに全系の光軸Ｚ１の変化量（傾き角度の大きさ）を測定した。すると、図８に示すように、本発明のレンズユニット１０（実線）の光軸Ｚ１の変化量は１．０分に満たないが、比較例のレンズユニットの光軸Ｚ１の変化量は１．５分を上回った。この結果からも分かる通り、本発明のレンズユニット１０は、比較例のレンズユニットよりも、熱衝撃またはヒートサイクルに対して安定性を有する。
【００３５】
また、本発明のレンズユニット１０と、比較例のレンズユニットをそれぞれ３０個ずつ作製し、５００回の熱衝撃を加えた後、光軸Ｚ１の変化量のばらつきを測定した。すると、図９に示すように、本発明のレンズユニット１０と比較例のレンズユニットは、いずれも個体ごとに光軸Ｚ１の変化量に違いが生じた。しかし、本発明のレンズユニット１０は、光軸Ｚ１の変化量の範囲が０．１〜０．９（分）であるのに対して、比較例のレンズユニットは、光軸Ｚ１の変化量の範囲が０．１〜１．８（分）までばらついた。この結果からも、本発明のレンズユニット１０が、比較例のレンズユニットよりも、熱衝撃またはヒートサイクルに対して安定性を有していることがわかる。
【００３６】
上記実施形態におけるレンズユニット１０のレンズデータを、表１に示す。レンズユニット１０を構成するレンズＬ１〜Ｌ６は全て球面レンズである。符号「ｉ」は第１レンズＬ１の物体側の面から順に付した面番号「ｉ」、各面の曲率半径Ｒｉ（単位ｍｍ）、面間隔Ｄｉ、ｄ線（波長５８７．６ｎｍ）に対する屈折率ｎ、アッベ数νｄ（＝（ｎｄ−１）／（ｎＦ−ｎＣ）；ｎＦはＦ線（波長４８６．１ｎｍ）に対する屈折率、ｎＣはＣ線（波長６５６．３ｎｍ）に対する屈折率である）を示す。また、「開口絞り」は、スペーサ１５が形成し、ＩＲＣＦは赤外線カットフィルタ１２である。ＣＧは、イメージセンサ（図示しない）のカバーガラスである。
【００３７】
【表１】
2019020505.tif 000003
上記実施形態のレンズユニット１０は、第４レンズＬ４が負変位レンズであり、第５レンズＬ５が正変位レンズであるが、より具体的には、表２において、レンズＬ１〜Ｌ６のうち、特定の１つのレンズが所定方向（図４〜７におけるＹ方向）に１０μｍ偏心した場合における結像位置の変位量（単位：μｍ）を示す。結像位置の変位量は、図４〜７におけるＹ方向正側を「＋」とし、Ｙ方向負側を「−」としている。また、表２に示す結像位置の変位量（大きさ）は、一定の偏心量に対する結像位置の変化量という点で「感度（偏心感度）」の大きさということができる。
【００３８】
【表２】
2019020505.tif 000004
表２から分かる通り、レンズユニット１０においては、第１レンズＬ１と第４レンズＬ４が負変位レンズであり、第２レンズＬ２、第３レンズＬ３、第５レンズＬ５、及び第６レンズＬ６が正変位レンズである。
【００３９】
上記実施形態においては樹脂環１６を用いて第４レンズＬ４と第５レンズＬ５の偏心の向き及び量を固定しているが、表２から分かる通り、レンズユニット１０においては、樹脂環１６と同様の樹脂環を用いて、正変位レンズである第３レンズＬ３と負変位レンズである第４レンズＬ４の偏心の向き及び量を固定しても良い。同様に、レンズユニット１０においては、樹脂環１６と同様の樹脂環を用いて、負変位レンズである第１レンズＬ１と正変位レンズである第２レンズＬ２の偏心の向き及び量を固定しても良い。第１レンズＬ１と第２レンズＬ２、第３レンズＬ３と第４レンズＬ４、または、第４レンズＬ４と第５レンズＬ５のうちいずれかまたは複数の組み合わせにおいて、樹脂環１６または樹脂環１６と同様の樹脂感を用いて偏心の向き及び量を固定すれば、本発明の効果を得ることができる。
【００４０】
樹脂環１６または樹脂環１６と同様の樹脂環が保持する正変位レンズは、レンズユニット１０が含む複数のレンズのなかで偏心感度が最大であり、かつ、樹脂環１６または樹脂環１６と同様の樹脂環が保持する負変位レンズは、レンズユニット１０が含む複数のレンズの中で偏心感度が最小であることが特に好ましい。偏心感度が最大及び最小のレンズの組み合わせを、樹脂環１６または樹脂環１６と同様の樹脂環で保持し、偏心の方向及び量を固定すれば、その他の組み合わせの正変位レンズ及び負変位レンズの偏心の方向及び量を固定する場合よりも、温度変化または温度変化の繰り返しに起因した光学性能の変化を抑制する効果が高いからである。この観点から、上記実施形態においては、樹脂環１６を用いて第４レンズＬ４と第５レンズＬ５の偏心の方向及び量を固定しているのである。なお、ここで説明する「最大」及び「最小」は、結像位置の変化量の絶対値（表２に示す値の絶対値）最大及び最小ではなく、移動方向（表２に示す値の正負）を含めた変位量の大きさに基づき判断する。
【００４１】
また、樹脂環１６または樹脂環１６と同様の樹脂環が保持する正変位レンズと負変位レンズは、レンズユニット１０が含む複数のレンズのなかで最も直径が近いレンズの組み合わせであることが好ましい。樹脂環１６または樹脂環１６と同様の樹脂環に圧入しやすいからである。上記実施形態のレンズユニット１０においては、隣接する正変位レンズと負変位レンズの組み合わせのなかで、第４レンズＬ４と第５レンズＬ５の組み合わせが、最も直径が近いレンズの組み合わせである。なお、「最も直径が近いレンズの組み合わせ」には、直径が等しい２つのレンズの組み合わせを含む。
【００４２】
また、樹脂環１６または樹脂環１６と同様の樹脂環が保持する正変位レンズと負変位レンズは、レンズユニット１０が含む複数のレンズのなかで最も径が小さいレンズと２番目に径が小さいレンズの組み合わせ、または、レンズユニット１０が含む複数のレンズのなかで最も径が小さい２つのレンズの組み合わせであることが好ましい。樹脂環１６または樹脂環１６と同様の樹脂環に圧入しやすいからである。上記実施形態のレンズユニット１０においては、隣接する正変位レンズと負変位レンズの組み合わせのなかで、第４レンズＬ４と第５レンズＬ５の組み合わせが、最も径が小さい２つのレンズの組み合わせである。
【００４３】
また、レンズユニット１０が含む複数のレンズのうち一のレンズを所定方向に所定量だけ偏心し、かつ、他のレンズを所定位置に配置する際に、上記一のレンズの偏心に起因した結像位置の変位量を比較する場合（表２参照）、樹脂環１６または樹脂環１６と同様の樹脂環が保持する正変位レンズと負変位レンズは、レンズユニット１０が含む複数のレンズのなかで、最も変位量の絶対値が大きいレンズと、２番目に変位量の絶対値が大きいレンズの組み合わせであることが好ましい。変位量の絶対値が最大及び最小のレンズの組み合わせを、樹脂環１６または樹脂環１６と同様の樹脂環で保持し、偏心の方向及び量を固定すれば、その他の組み合わせの正変位レンズ及び負変位レンズの偏心の方向及び量を固定する場合よりも、温度変化または温度変化の繰り返しに起因した光学性能の変化を抑制する効果が高いからである。表２に示すとおり、上記実施形態においては、第４レンズＬ４と第５レンズＬ５の組み合わせが、最も変位量の絶対値が大きいレンズと、２番目に変位量の絶対値が大きいレンズの組み合わせである。
【００４４】
上記実施形態においては、樹脂環１６は、１枚の正変位レンズと１枚の負変位レンズとを保持しているが、樹脂環１６または樹脂環１６と同様の樹脂環は、１以上の正変位レンズと１以上の負変位レンズを保持することができる。すなわち、樹脂環１６は３以上のレンズを保持することができる。この場合、正変位レンズと負変位レンズを少なくとも１枚ずつ保持していれば、本発明の効果を得ることができる。
【符号の説明】
【００４５】
１０  レンズユニット
１１  鏡胴
１２  赤外線カットフィルタ
１３、１７、１８  押え環
１４、１５  スペーサ
１６  樹脂環
２１  レンズ保持部
２２  突出部
【図１】
2019020505.tif 000005
【図２】
2019020505.tif 000006
【図３】
2019020505.tif 000007
【図４】
2019020505.tif 000008
【図５】
2019020505.tif 000009
【図６】
2019020505.tif 000010
【図７】
2019020505.tif 000011
【図８】
2019020505.tif 000012
【図９】
2019020505.tif 000013